【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
クライアント端末及び複数の画像保管装置と通信可能に接続された画像管理装置において、
前記クライアント端末との間のデータの送受信を行う通信部と、
前記クライアント端末から画像データの送信要求を前記通信部にて受信した後、当該画像データの識別情報に基づいて、前記複数の画像保管装置のうち、前記送信要求にて指定された画像データを格納している画像保管装置に対して、前記送信要求にて指定された画像データの画像処理を指示する制御部と、
を備え、
前記画像保管装置にて画像処理を行った後の処理済画像データに基づく画像が、前記通信部を介して前記クライアント端末に表示されることを特徴とする画像管理装置。
【請求項２】
前記送信要求にて指定された前記画像データを記憶する記憶部を備え、
前記制御部は、
前記クライアント端末から前記送信要求を受信した後、前記記憶部に前記画像データが存在するか否かを判断し、存在しない場合、当該画像データを格納している画像保管装置を特定することを特徴とする請求項１に記載の画像管理装置。
【請求項３】
前記制御部は、
前記記憶部に前記画像データが記憶されてから所定時間経過すると当該画像データを消去することを特徴とする請求項２に記載の画像管理装置。
【請求項４】
前記記憶部は、前記画像データの識別情報および画像データの格納先の画像保管装置を対応づけて記憶することを特徴とする請求項２又は３に記載の画像管理装置。
【請求項５】
前記制御部は、
前記クライアント端末から前記送信要求を受信した後、自装置に掛かる負荷の値を算出し、算出した負荷が所定値より大きいと判断した場合、前記送信要求にて指定された画像データを格納している画像保管装置を特定することを特徴とする請求項１に記載の画像管理装置。
【請求項６】
前記制御部は、プロセッサー及びメモリーを備え、前記プロセッサーの稼働率又は前記メモリーの使用量により、自装置に掛かる負荷の値を算出することを特徴とする請求項５に記載の画像管理装置。
【請求項７】
画像データは、動画像データを含むことを特徴とする請求項１〜６の何れか一項に記載の画像管理装置。
【請求項８】
請求項１〜７の何れか一項に記載の画像管理装置と、
前記画像管理装置と通信可能に接続されたクライアント端末と、
前記画像管理装置と通信可能に接続された複数の画像保管装置と、
を備えた画像表示システムにおいて、
前記複数の画像保管装置の各々は、
前記画像管理装置による指示に応じて、前記送信要求にて指定された画像データに対して画像処理を行う画像処理部と、
前記画像処理部により画像処理した処理済画像データを前記画像管理装置に返信する返信部と、
を備え、
前記クライアント端末は、前記通信部を介して前記処理済画像データに基づく画像を表示する表示部
を備えることを特徴とする画像表示システム。
【請求項９】
クライアント端末と通信可能に接続された画像管理装置と、
前記画像管理装置と通信可能に接続された複数の画像保管装置と、
を備えた画像表示システムにおける画像表示方法であって、
前記画像管理装置において、前記クライアント端末から画像データの送信要求を受信した後、前記画像データの識別情報に基づいて、前記複数の画像保管装置のうち、前記送信要求にて指定された画像データを格納している画像保管装置に対して、前記送信要求にて指定された画像データの画像処理を指示する指示工程と、
前記画像保管装置において、前記指示工程の指示に応じて、前記送信要求にて指定された画像データに対して画像処理を行う画像処理工程と、
前記クライアント端末において、前記画像処理工程により画像処理された処理済画像データに基づく画像が表示部に表示される画像表示工程と、
を有することを特徴とする画像表示方法。
【手続補正２】
【補正対象書類名】明細書
【補正対象項目名】０００６
【補正方法】変更
【補正の内容】
【０００６】
上記課題を解決するため、本発明の請求項１に記載の画像管理装置によれば、
クライアント端末及び複数の画像保管装置と通信可能に接続された画像管理装置において、
前記クライアント端末との間のデータの送受信を行う通信部と、
前記クライアント端末から画像データの送信要求を前記通信部にて受信した後、当該画像データの識別情報に基づいて、前記複数の画像保管装置のうち、前記送信要求にて指定された画像データを格納している画像保管装置に対して、前記送信要求にて指定された画像データの画像処理を指示する制御部と、
を備え、
前記画像保管装置にて画像処理を行った後の処理済画像データに基づく画像が、前記通信部を介して前記クライアント端末に表示されることを特徴とする画像管理装置が提供される。
また、本発明の請求項２に記載の画像管理装置によれば、
前記送信要求にて指定された前記画像データを記憶する記憶部を備え、
前記制御部は、
前記クライアント端末から前記送信要求を受信した後、前記記憶部に前記画像データが存在するか否かを判断し、存在しない場合、当該画像データを格納している画像保管装置を特定することを特徴とする請求項１に記載の画像管理装置が提供される。
【手続補正３】
【補正対象書類名】明細書
【補正対象項目名】０００７
【補正方法】変更
【補正の内容】
【０００７】
また、本発明の請求項３に記載の画像管理装置によれば、
前記制御部は、
前記記憶部に前記画像データが記憶されてから所定時間経過すると当該画像データを消去することを特徴とする請求項２に記載の画像管理装置が提供される。
また、本発明の請求項４に記載の画像管理装置によれば、
前記記憶部は、前記画像データの識別情報および画像データの格納先の画像保管装置を対応づけて記憶することを特徴とする請求項２又は３に記載の画像管理装置が提供される。
【手続補正４】
【補正対象書類名】明細書
【補正対象項目名】０００８
【補正方法】変更
【補正の内容】
【０００８】
また、本発明の請求項５に記載の画像管理装置によれば、
前記制御部は、
前記クライアント端末から前記送信要求を受信した後、自装置に掛かる負荷の値を算出し、算出した負荷が所定値より大きいと判断した場合、前記送信要求にて指定された画像データを格納している画像保管装置を特定することを特徴とする請求項１に記載の画像管理装置が提供される。
【手続補正５】
【補正対象書類名】明細書
【補正対象項目名】０００９
【補正方法】変更
【補正の内容】
【０００９】
また、本発明の請求項６に記載の画像管理装置によれば、
前記制御部は、プロセッサー及びメモリーを備え、前記プロセッサーの稼働率又は前記メモリーの使用量により、自装置に掛かる負荷の値を算出することを特徴とする請求項５に記載の画像管理装置が提供される。
【手続補正６】
【補正対象書類名】明細書
【補正対象項目名】００１０
【補正方法】変更
【補正の内容】
【００１０】
また、本発明の請求項７に記載の画像管理装置によれば、
画像データは、動画像データを含むことを特徴とする請求項１〜６の何れか一項に記載の画像管理装置が提供される。
【手続補正７】
【補正対象書類名】明細書
【補正対象項目名】００１１
【補正方法】変更
【補正の内容】
【００１１】
また、本発明の請求項８に記載の画像表示システムによれば、
請求項１〜７の何れか一項に記載の画像管理装置と、
前記画像管理装置と通信可能に接続されたクライアント端末と、
前記画像管理装置と通信可能に接続された複数の画像保管装置と、
を備えた画像表示システムにおいて、
前記複数の画像保管装置の各々は、
前記画像管理装置による指示に応じて、前記送信要求にて指定された画像データに対して画像処理を行う画像処理部と、
前記画像処理部により画像処理した処理済画像データを前記画像管理装置に返信する返信部と、
を備え、
前記クライアント端末は、前記通信部を介して前記処理済画像データに基づく画像を表示する表示部
を備えることを特徴とする画像表示システムが提供される。
【手続補正８】
【補正対象書類名】明細書
【補正対象項目名】００１２
【補正方法】変更
【補正の内容】
【００１２】
また、本発明の請求項９に記載の画像表示方法によれば、
クライアント端末と通信可能に接続された画像管理装置と、
前記画像管理装置と通信可能に接続された複数の画像保管装置と、
を備えた画像表示システムにおける画像表示方法であって、
前記画像管理装置において、前記クライアント端末から画像データの送信要求を受信した後、前記画像データの識別情報に基づいて、前記複数の画像保管装置のうち、前記送信要求にて指定された画像データを格納している画像保管装置に対して、前記送信要求にて指定された画像データの画像処理を指示する指示工程と、
前記画像保管装置において、前記指示工程の指示に応じて、前記送信要求にて指定された画像データに対して画像処理を行う画像処理工程と、
前記クライアント端末において、前記画像処理工程により画像処理された処理済画像データに基づく画像が表示部に表示される画像表示工程と、
を有することを特徴とする画像表示方法が提供される。